(57)【要約】【課題】波長選択吸収部材の退色が起こりにくく、かつ、波長選択吸収部材の外観色が視認されにくい照明装置を提供する。【解決手段】照明装置１は、固体発光素子によって構成された光源１１０と、光源１１０から出射する光が入射する入射面１２１ａを有する光入射部１２１を有し、当該光入射部１２１に入射した光の配光を制御する透光性の配光制御部材１２０と、可視光域の特定波長を選択吸収する波長選択吸収部材１３０とを備え、波長選択吸収部材１３０は、光入射部１２１における入射面１２１ａ以外の部分に設けられている。【選択図】図３
2015018677.tif 000002
【特許請求の範囲】
【請求項１】
固体発光素子によって構成された光源と、
前記光源から出射する光が入射する入射面を有する光入射部を有し、当該光入射部に入射した光の配光を制御する透光性の配光制御部材と、
可視光域の特定波長を選択吸収する波長選択吸収部材とを備え、
前記波長選択吸収部材は、前記光入射部における前記入射面以外の部分に設けられている
照明装置。
【請求項２】
前記波長選択吸収部材は、前記光入射部の側面に設けられている
請求項１に記載の照明装置。
【請求項３】
さらに、前記光源が配置された基板を備え、
前記配光制御部材は、前記基板と略平行に配設された平面部を有し、
前記光入射部は、前記平面部から前記基板に向かって突出するように構成されている
請求項１又は２に記載の照明装置。
【請求項４】
さらに、前記光源が配置された基板を備え、
前記配光制御部材は、前記基板と略平行に配設された平面部を有し、
前記光入射部は、前記平面部の側方に向かって突出するように構成されている
請求項１又は２に記載の照明装置。
【請求項５】
前記光入射部は、断面視において前記入射面から遠ざかるに従って幅が漸次大きくなるように構成されている
請求項１〜４のいずれか１項に記載の照明装置。
【請求項６】
前記配光制御部材は、導光板である
請求項１〜５のいずれか１項に記載の照明装置。
【請求項７】
前記波長選択吸収部材は、波長選択吸収材として有機系色素を含む樹脂組成物である
請求項１〜６のいずれか１項に記載の照明装置。
【発明の詳細な説明】
【技術分野】
【０００１】
本発明は、照明装置に関する。
【背景技術】
【０００２】
発光ダイオード（ＬＥＤ：Ｌｉｇｈｔ  Ｅｍｉｔｔｉｎｇ  Ｄｉｏｄｅ）等の固体発光素子は、高効率で省スペースな光源として、照明用又はディスプレイ用等の各種機器に広く利用されている。
【０００３】
近年、照明用光源として用いられる白色ＬＥＤ光源は、青色ＬＥＤが発する青色光とその青色光で励起される黄色蛍光体の黄色光とを混色させることにより擬似白色光を得る、いわゆるＢ−Ｙタイプが主流となっている。
【０００４】
Ｂ−Ｙタイプの白色ＬＥＤ光源は、発光効率の向上が目覚ましく、蛍光灯の発光効率を超えるものも現れている。このため、従来の白熱灯や蛍光灯からＢ−Ｙタイプの白色ＬＥＤ光源への置き換えが進んでいる。
【０００５】
蛍光灯の光は、水銀蒸気のプラズマ放電によって励起された数種類の蛍光体の発光色を混色することによって得られ、その蛍光体の発光スペクトルは、図１０に示すように、半値幅の狭いシャープな発光ピークを複数有する。図１０は、３波長域発光形白色蛍光ランプにおける発光スペクトルの分光分布の一例を示している。
【０００６】
一方、Ｂ−Ｙタイプの白色ＬＥＤ光源では、図１１に示すような発光スペクトルが得られ、黄色蛍光体による発光ピークが蛍光灯に比べてブロードなものとなっている。図１１は、Ｂ−Ｙタイプの白色ＬＥＤ光源の発光スペクトルの分光分布の一例を示している。
【０００７】
この両者の発光スペクトルの違いから、Ｂ−Ｙタイプの白色ＬＥＤ光源は、蛍光灯に比べて演色性が低いという課題がある。
【０００８】
そこで、白色ＬＥＤ光源の演色性を改善する方法として、白色ＬＥＤ光源の光出射側に、選択的な吸収ピークを有する波長選択吸収部材（波長選択吸収フィルタ）を配設し、白色ＬＥＤ光源の不要発光波長の光を選択的に吸収する技術が提案されている（例えば、特許文献１）。
【０００９】
波長選択吸収部材としては、選択的な吸収ピークを有する金属イオン（Ｎｄイオン等）を含んだガラス組成物、又は、選択的な吸収ピークを有する有機系色素を樹脂に混合し、成形や塗布等を用いて形成された樹脂組成物がある。有機系色素を用いた樹脂組成物は、波長選択吸収部材を簡便に形成することができるので、波長選択吸収部材の実現手段として有効な方法である。
【先行技術文献】
【特許文献】
【００１０】
【特許文献１】特開２０１０−２６７５７１号公報
【発明の概要】
【発明が解決しようとする課題】
【００１１】
また、波長選択吸収部材を配置する箇所としては、図１２〜図１４に示すような配置箇所が考えられる。
【００１２】
図１２及び図１３に示される配置方法は、波長選択吸収部材１３００を、ＬＥＤ光源１１００の光を導光する導光板１２００の光出射面側に配置する方法である。なお、図１２では、平板状の導光板１２００を用いており、図１３では、富士型の光入射部を有する導光板１２００を用いている。
【００１３】
図１２及び図１３に示される配置方法は、導光板１２００によって均一に配光が整えられた光が波長選択吸収部材１３００に入射するため、光色や光強度のムラが発生しにくいという利点がある。
【００１４】
しかしながら、有機系色素を用いた波長選択吸収部材１３００は有彩色（例えば紫色）であることが多く、ユーザに波長選択吸収部材１３００の外観色が視認される。このため、ユーザに違和感を与えるという課題がある。
【００１５】
一方、図１４に示される配置方法は、ＬＥＤ光源１１００と導光板１２００との間に波長選択吸収部材１３００を配置する方法である。この方法は、ユーザに波長選択吸収部材１３００の外観色が視認されにくくなり、また、波長選択吸収部材１３００の面積を小さくすることができるという利点がある。
【００１６】
しかしながら、ＬＥＤ光源１１００から波長選択吸収部材１３００までの距離が非常に近いため、波長選択吸収部材１３００に照射される単位面積当たりの光量が大きくなり、波長選択吸収部材１３００の退色が起こりやすいという課題がある。特に、図１４に示すように、ＬＥＤ光源１１００と波長選択吸収部材１３００とが近接した配置され、しかも、ＬＥＤ光源１１００の光軸が波長選択吸収部材１３００の入射面に対して垂直となっている場合には、波長選択吸収部材１３００の退色の進行が進みやすい。
【００１７】
また、有機系色素を用いた波長選択吸収部材１３００は簡便な方法で作製できるものの、有機系色素は光や熱に対する堅牢性が低くいため、図１４に示される配置方法のように、有機系色素を含む波長選択吸収部材１３００にＬＥＤ光源１１００の光が直接入射すると、波長選択吸収部材１３００の退色が発生しやすくなる。
【００１８】
本発明は、このような課題を解決するためになされたものであり、波長選択吸収部材の退色が起こりにくく、かつ、波長選択吸収部材の外観色が視認されにくい照明装置を提供することを目的とする。
【課題を解決するための手段】
【００１９】
上記目的を達成するために、本発明に係る照明装置の一態様は、固体発光素子によって構成された光源と、前記光源から出射する光が入射する入射面を有する光入射部を有し、当該光入射部に入射した光の配光を制御する透光性の配光制御部材と、可視光域の特定波長を選択吸収する波長選択吸収部材とを備え、前記波長選択吸収部材は、前記光入射部における前記入射面以外の部分に設けられていることを特徴とする。
【００２０】
また、本発明に係る照明装置の一態様において、前記波長選択吸収部材は、前記光入射部の側面に設けられている、としてもよい。
【００２１】
また、本発明に係る照明装置の一態様において、さらに、前記光源が配置された基板を備え、前記配光制御部材は、前記基板と略平行に配設された平面部を有し、前記光入射部は、前記平面部から前記基板に向かって突出するように構成されている、としてもよい。
【００２２】
あるいは、本発明に係る照明装置の一態様において、さらに、前記光源が配置された基板を備え、前記配光制御部材は、前記基板と略平行に配設された平面部を有し、前記光入射部は、前記平面部の側方に向かって突出するように構成されている、としてもよい。
【００２３】
また、本発明に係る照明装置の一態様において、前記光入射部は、断面視において前記入射面から遠ざかるに従って幅が漸次大きくなるように構成されている、としてもよい。
【００２４】
また、本発明に係る照明装置の一態様において、前記配光制御部材は、導光板である、としてもよい。
【００２５】
また、本発明に係る照明装置の一態様において、前記波長選択吸収部材は、波長選択吸収材として有機系色素を含む樹脂組成物である、としてもよい。
【発明の効果】
【００２６】
本発明によれば、波長選択吸収部材の退色が起こりにくく、かつ、波長選択吸収部材の外観色が視認されにくい照明装置を実現できる。
【図面の簡単な説明】
【００２７】
【図１】図１は、本発明の実施の形態に係る照明装置の概略図である。
【図２】図２は、本発明の実施の形態に係る照明装置における灯具の分解斜視図である。
【図３】図３は、本発明の実施の形態に係る照明装置における灯具の要部拡大図である。
【図４】図４は、テトラ（ｔｅｒｔ−ブチル）テトラアザポルフィリン銅を説明するための図である。
【図５】図５は、テトラ（ｔｅｒｔ−ブチル）テトラアザポルフィリンパラジウムを説明するための図である。
【図６】図６は、テトラ（ｔｅｒｔ−ブチル）テトラアザポルフィリン銅の吸光スペクトルを示す図である。
【図７】図７は、テトラ（ｔｅｒｔ−ブチル）テトラアザポルフィリンパラジウムの吸光スペクトルを示す図である。
【図８】図８は、本発明の変形例１に係る照明装置の断面図である。
【図９】図９は、本発明の変形例２に係る照明装置の要部拡大図である。
【図１０】図１０は、３波長域発光形白色蛍光ランプにおける発光スペクトルの一例を示す分光分布図である。
【図１１】図１１は、Ｂ−Ｙタイプの白色ＬＥＤ光源の発光スペクトルの一例を示す分光分布図である。
【図１２】図１２は、照明装置における波長選択吸収部材の配置箇所の一例を示す図である。
【図１３】図１３は、照明装置における波長選択吸収部材の配置箇所の一例を示す図である。
【図１４】図１４は、照明装置における波長選択吸収部材の配置箇所の一例を示す図である。
【発明を実施するための形態】
【００２８】
以下、本発明の実施の形態について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００２９】
なお、各図は、模式図であり、必ずしも厳密に図示されたものではない。また、各図において、実質的に同一の構成に対しては同一の符号を付しており、重複する説明は省略又は簡略化する。
【００３０】
（実施の形態）
まず、本発明の実施の形態に係る照明装置１の概略構成について、図１を用いて説明する。図１は、本発明の実施の形態に係る照明装置の概略図である。
【００３１】
図１に示すように、本実施の形態に係る照明装置（照明器具）１は、デスクスタンド型の照明装置であって、光源（発光部）を含む灯具１００と、机上に載置される平板状のベース２００と、ベース２００の上面側に設けられた筒状の本体部３００と、本体部３００の上端より斜め上前方に突出するアーム４００とを備える。
【００３２】
アーム４００は、本体部３００に対して可動するように構成されており、アーム４００を動かすことで、アーム４００の先端に設けられた灯具１００の位置を変えることができる。
【００３３】
また、本体部３００の内部には、電源回路（不図示）が設けられている。電源回路は、例えば商用電源等の外部電源からの交流電圧を、整流、平滑及び降圧等して所定レベルの直流電圧に変換し、灯具１００に供給する。これにより、灯具１００の光源に直流電力が供給されることで灯具１００（光源）が発光する。なお、照明装置１は、その他に、点灯及び消灯の切り替えを行うためのスイッチ等が設けられている。
【００３４】
次に、灯具１００の詳細な構成について、図２及び図３を用いて説明する。図２は、本発明の実施の形態に係る照明装置における灯具の分解斜視図である。図３は、同照明装置における灯具の要部拡大図である。
【００３５】
灯具１００は、机上面を照射するように構成されており、図２及び図３に示すように、光源１１０と、光入射部１２１を有する配光制御部材１２０と、波長選択吸収部材１３０とを備える。灯具１００は、さらに、基板１４０と、第１の枠１５０と、第２の枠１６０と、本体１７０とを備える。
【００３６】
以下、本実施の形態における照明装置１の灯具１００の各構成部材について詳細に説明する。
【００３７】
［光源］
光源１１０は、ＬＥＤ素子、有機ＥＬ素子（ＯＬＥＤ）又は無機ＥＬ素子等の固体発光素子によって構成されており、図２及び図３に示すように、基板１４０に配置される。本実施の形態において、光源１１０は、基板１４０に二次元的に配置された複数のＬＥＤ素子によって構成されている。図２に示すように、複数のＬＥＤ素子は、例えば円環状に配列することができるが、直線状やマトリックス状等に配列してもよい。
【００３８】
光源１１０を構成するＬＥＤ素子は、例えばＬＥＤチップと蛍光体等の波長変換材とによって構成することができる。
【００３９】
ＬＥＤチップは、所定の直流電力により発光する半導体発光素子の一例であって、単色の可視光を発するベアチップである。ＬＥＤチップは、例えば、通電されれば青色光を発する青色ＬＥＤチップが用いられる。青色ＬＥＤチップは、３８０ｎｍ〜５００ｎｍの波長域に主たる発光ピークを有し、窒化ガリウム系の半導体材料によって構成することができる。
【００４０】
蛍光体は、ＬＥＤチップが発する光によって励起されて所望の色（波長）の光を放出する。青色ＬＥＤチップを用いる場合、５４５ｎｍ〜５９５ｎｍの波長域に主たる発光ピークを有する黄色蛍光体を用いることができる。このような黄色蛍光体の一例として、ＹＡＧ（イットリウム・アルミニウム・ガーネット）系蛍光体があげられる。蛍光体は、シリコーン樹脂等の透光性絶縁材料に含有されて蛍光体含有樹脂として構成される。
【００４１】
このように、本実施の形態における光源１１０は、青色ＬＥＤチップと黄色蛍光体とによって構成されたＢ−Ｙタイプの白色ＬＥＤ光源である。この場合、黄色蛍光体は青色ＬＥＤチップが発した青色光の一部を吸収して励起されて黄色光を放出するので、この黄色光と黄色蛍光体に吸収されなかった青色光とが混ざって白色光が得られる。Ｂ−Ｙタイプの白色ＬＥＤ素子は、図１１に示すような発光スペクトルを有する。
【００４２】
なお、光源１１０を構成するＬＥＤ素子の構造としては、ＣＯＢ（Ｃｈｉｐ  Ｏｎ  Ｂｏａｒｄ）構造及びＳＭＤ（Ｓｕｒｆａｃｅ  Ｍｏｕｎｔ  Ｄｅｖｉｃｅ）構造のいずれであってもよい。ＣＯＢ構造のＬＥＤ素子は、基板に直接実装された複数のＬＥＤチップを蛍光体含有樹脂によって個々に又は複数個一括して封止した構成である。一方、ＳＭＤ構造のＬＥＤ素子は、パッケージ型の素子であり、凹部を有する白色樹脂等の容器（パッケージ）内に実装されたＬＥＤチップを蛍光体含有樹脂で封止した構成である。本実施の形態では、ＣＯＢ構造の白色ＬＥＤ素子を用いている。
【００４３】
また、本実施の形態では、青色ＬＥＤチップと黄色蛍光体との組み合わせとしたが、これに限らない。例えば、演色性を高めるために、黄色蛍光体に加えて、さらに赤色蛍光体や緑色蛍光体を混ぜても構わないまた、黄色蛍光体を用いずに、赤色蛍光体及び緑色蛍光体を含有する蛍光体含有樹脂を用いて、これと青色ＬＥＤチップとを組み合わせることによりに白色光を放出するように構成することもできる。
【００４４】
［配光制御部材］
配光制御部材１２０は、入射する光の配光を制御する透光性の光学部材であり、入射した光を透過させるように構成されている。配光制御部材１２０は、例えば透光性樹脂材料を用いて所定形状に成形された樹脂成型品である。
【００４５】
本実施の形態における配光制御部材１２０は、導光板であり、入射した光を導光させる機能を有する。なお、配光制御部材１２０は、集光作用又は発散作用等のレンズ機能を有するレンズ部材であってもよいし、レンズ機能及び導光機能の両方の機能を有する光学部材であってもよい。
【００４６】
図３に示すように、本実施の形態において、配光制御部材１２０は、光入射部１２１と平面部１２２とを有する。
【００４７】
光入射部１２１は、光源１１０の光が直接入射される部分であり、光源１１０の光が入射する入射面１２１ａを有する。入射面１２１ａから入射した光源１１０の光は、光入射部１２１の内部を通過して平面部１２２に導光される。
【００４８】
本実施の形態において、光入射部１２１は、平面部１２２から基板１４０に向かって突出するように平面部１２２に接続されている。具体的には、光入射部１２１は、入射面１２１ａが光源１１０と対向するように配置される。つまり、光源１１０の光軸が入射面１２１ａに対して垂直となるように配置されている。
【００４９】
光入射部１２１の形状は、光源１１０のＬＥＤ素子の配置レイアウトに従って形成することができる。例えば、ＬＥＤ素子が円環状に配列されている場合、光入射部１２１も円環状に形成することができる。あるいは、光入射部１２１は、個々のＬＥＤ素子に対応させて複数形成することもできる。
【００５０】
具体的には、光入射部１２１は、富士型であり、断面視において入射面１２１ａから遠ざかる方向に向かって幅が漸次大きくなるように構成されている。
【００５１】
また、光入射部１２１の側面１２１ｂは、湾曲状の曲面であり、入射面１２１ａから入射した光の多くを全反射させる全反射面となっている。
【００５２】
平面部１２２は、基板１４０と略平行に配設された板状の部分であり、例えば、円板状に構成されている。
【００５３】
平面部１２２は、基板１４０と対面する面である内面１２２ａと、内面１２２ａとは反対側の面である外面１２２ｂとを有する。外面１２２ｂは、配光制御部材１２０に入射した光源１１０（ＬＥＤ素子）の光が照明装置１の照明光として出射する出射面である。つまり、ユーザには配光制御部材１２０の外面１２２ｂが視認される。
【００５４】
また、内面１２２ａには、複数のドットパターンが形成されている。これにより、平面部１２２内を導光する光をドットパターンで外面１２２ｂの方向に反射させることができるので、外面１２２ｂの全面から均一な照明光を出射させることができる。
【００５５】
このように、ユーザは外面１２２ｂを視認することから、透明樹脂材料によって配光制御部材１２０を成形することで、通常の光学部品のようにクリア感のある配光制御部材１２０を構成することができる。これにより、ユーザに違和感を与えることを軽減できる。
【００５６】
このように構成される配光制御部材１２０では、入射面１２１ａから光入射部１２１に入射した光源１１０の光は、光入射部１２１の側面１２１ｂ（内面）で反射しながら平面部１２２へと導光し、平面部１２２を導光しながら外面１２２ｂから照明光として出射する。
【００５７】
なお、本実施の形態において、光入射部１２１は配光制御部材１２０の一部の構成としたが、光入射部１２１を光入射部材として構成し、光入射部１２１と配光制御部材１２０とを別体としてもよい。
【００５８】
［波長選択吸収部材］
波長選択吸収部材１３０は、可視光域の一部の波長（特定波長）を選択的に吸収する光透過性部品（フィルタ）であり、当該波長選択吸収部材１３０を透過する光の特定波長を選択的に吸収することにより当該光の光色を変化させる機能を有する。本実施の形態において、波長選択吸収部材１３０は、光源１１０の光の一部の波長を選択的に吸収する。
【００５９】
波長選択吸収部材１３０は、配光制御部材１２０の光入射部１２１における入射面１２１ａ以外の部分に設けられている。つまり、波長選択吸収部材１３０は、当該波長選択吸収部材１３０の主面と入射面１２１ａとが所定の角度を有するように（すなわち、光源１１０の光軸が当該波長選択吸収部材１３０の主面に対して垂直とならないように）設けられている。
【００６０】
本実施の形態において、波長選択吸収部材１３０は、光入射部１２１の側面１２１ｂに設けられている。より具体的には、波長選択吸収部材１３０は、光入射部１２１の側面１２１ｂの表面形状に沿った形状であり、側面１２１ｂに接するように、かつ、側面１２１ｂの全体を覆うように形成されている。これにより、波長選択吸収部材１３０を光導波路（光経路）の側部に配置することができる。
【００６１】
また、波長選択吸収部材１３０は、波長選択吸収材として波長選択吸収色素が添加された色素添加フィルタである。本実施の形態における波長選択吸収部材１３０は、波長選択吸収材として有機系色素を含んでいる。
【００６２】
波長選択吸収部材１３０は、波長選択吸収色素を含有する樹脂組成物によって構成することができ、例えば、光透過性樹脂と、当該光透過性樹脂に所定量で含有された有機系色素の波長選択吸収色素とによって構成することができる。
【００６３】
波長選択吸収部材１３０として、有機系色素を用いた樹脂組成物を用いることによって、波長選択吸収部材１３０を塗布やコーティングによって形成することができる。これにより、光入射部１２１の側面１２１ｂが曲面形状であっても、波長選択吸収部材１３０を当該側面１２１ｂに容易に形成することができる。
【００６４】
また、波長選択吸収部材１３０を成形部品として予め作製しておき、これを配光制御部材１２０の光入射部１２１に貼り付けてもよい。この際、波長選択吸収部材１３０と光入射部１２１の側面１２１ｂとの間に空気層が介在しないように、溶解性のある接着剤又は溶剤を用いて、波長選択吸収部材１３０を隙間無く光入射部１２１に貼り付けることが望ましい。
【００６５】
ここで、波長選択吸収部材１３０を構成する波長選択吸収色素及び光透過性樹脂について詳細に説明する。
【００６６】
＜波長選択吸収色素＞
波長選択吸収色素とは、可視光の一部を選択的に吸収する性質を有する色素のことである。波長選択吸収色素としては、特定波長として５７０ｎｍ〜６００ｎｍ又は５７０ｎｍ〜７８０ｎｍの波長の光を選択的に吸収する性質を持つものを用いることができる。具体的には、テトラアザポルフィリン、テトラフェニルポルフィリン、オクタエチルポルフィリン、フタロシアニン、シアニン、アゾ、ピロメテン、スクアリリウム、キサンテン、ジオキサン、オキソノール等の有機化合物を主体とする色素が挙げられる。また、ネオジムイオン等の希土類金属イオンを含有する有機化合物を主体とする色素も挙げられる。
【００６７】
中でも、テトラアザポルフィリン化合物等のポルフィリン化合物は、吸収ピークの形状が急峻であり、かつ、光源からの光照射に対しても堅牢性が高いため、好適に用いることができる。テトラアザポルフィリン化合物には、例えば、図４の化学式に示されるテトラ（ｔｅｒｔ−ブチル）テトラアザポルフィリン銅、又は、図５の化学式に示されるテトラ（ｔｅｒｔ−ブチル）テトラアザポルフィリンパラジウム等があり、中心金属の種類や置換基の種類によって、最大吸収波長が変化する。
【００６８】
これら２種のポルフィリン化合物の各々を一定量アセトンに溶解させた液を光路長１ｍｍの石英セルにとり、分光光度計で吸光スペクトルを測定した結果を図６及び図７に示す。図６は、図４の化学式に示されるテトラ（ｔｅｒｔ−ブチル）テトラアザポルフィリン銅の吸光スペクトルを示す図である。また、図７は、図５の化学式に示されるテトラ（ｔｅｒｔ−ブチル）テトラアザポルフィリンパラジウムの吸光スペクトルを示す図である。なお、図６及び図７では、最大吸収波長における吸光度を１として規格化したときの相対吸光スペクトルを示している。
【００６９】
＜光透過性樹脂＞
光透過性樹脂とは、可視光を透過する機能を有する樹脂のことである。例えば、光学的に透明な樹脂として、ポリメタクリル酸メチル、ポリカーボネート、環状ポリオレフィン、環状ポリオレフィンコポリマー、ポリメチルペンテン等の熱可塑性樹脂等が挙げられる。また、乳白色半透明な樹脂として、ポリエチレンやポリプロピレンなどの熱可塑性樹脂等が挙げられる。また、その他に、光透過性樹脂として、メタクリル酸樹脂やシリコーン樹脂等の熱硬化性樹脂等も挙げられる。熱硬化性樹脂は、架橋成分が加えられた後に、熱もしくは電子線、紫外線等のエネルギーが付与されて固化される。
【００７０】
これらの樹脂を用いて波長選択吸収部材１３０を作製する場合、樹脂固形分に対して所定量の波長選択吸収色素を溶媒に分散して樹脂原料に添加した後、射出成形、押出成形、プレス成形、キャスト成形又はカレンダー成形等の成形手段を用いて所定の形状に成形加工する。また、光透過性樹脂又はガラス基材の表面に波長選択吸収色素に塗布した後、硬化させることによっても波長選択吸収部材１３０を作製することができる。
【００７１】
なお、光透過性樹脂には、波長選択吸収色素の他に、用途に応じて、波長選択機能を損なわない範囲で、紫外線吸収剤、光安定剤、酸化防止剤又は加水分解防止剤等を適宜加えてもよい。
【００７２】
特に、本実施の形態の用途においては、光源１１０からの光照射による色素の褪色を抑制するために、紫外線吸収剤及び光安定剤を添加するとよい。
【００７３】
添加する紫外線吸収剤としては、例えば、ベンゾトリアゾール系、ベンゾフェノン系、トリアジン系等の紫外線吸収剤があり、中でも、波長選択吸収色素としてテトラアザポルフィリン系色素を使用する場合においては、ベンゾトリアゾール系紫外線吸収剤が好適に用いられる。テトラアザポルフィリン系色素は、その分子構造に起因するソーレー帯と呼ばれる吸収帯が３４０ｎｍ付近にあり、ベンゾトリアゾール系紫外線吸収剤の最大吸収波長の３４０ｎｍ〜３５０ｎｍとほぼ一致するため、波長選択吸収色素の光吸収による変褪色を抑制することができる。
【００７４】
また、添加する光安定剤としては、ヒンダードアミン系光安定剤、ジインモニウム塩等の一重項酸素クエンチャー、テトラシアノキノジメタン等の有機酸化剤が好適に用いられる。
【００７５】
［基板］
基板１４０は、光源１１０を配置するための基台である。基板１４０は光源１１０とともに光源ユニット（光源モジュール）として構成されていてもよい。
【００７６】
基板１４０としては、樹脂をベースとする樹脂基板、セラミックからなるセラミック基板、金属をベースとするメタルベース基板等を用いることができる。また、基板１４０の形状は、灯具１００における基板１４０の配置スペースに応じて適宜選択することができる。本実施の形態では、円板状の基板１４０を用いている。
【００７７】
また、基板１４０は、所定形状の金属配線が形成された配線基板としてもよい。この場合、基板１４０には、例えば、光源１１０（ＬＥＤ素子）に供給する直流電力を受電するための一対の外部接続端子と、外部接続端子と光源１１０とを電気的に接続するための金属配線（金属パターン）とが設けられる。
【００７８】
一対の外部接続端子は、電線等によって電源回路と電気的に接続される。また、金属配線は、光源１１０を構成する複数のＬＥＤ素子の各々について、直列接続としたり並列接続としたり直列接続と並列接続との組み合わせ接続としたりするために、所定形状で形成される。
【００７９】
［第１の枠、第２の枠、本体］
第１の枠１５０及び第２の枠１６０は、化粧枠であり、光源１１０及び基板１４０を挟むように配置される。さらに、第２の枠１６０を覆うように枠状の本体１７０が配置される。
【００８０】
第１の枠１５０は、光照射側である前方側（机上面側）に位置するように配置される。第１の枠１５０には、配光制御部材１２０の平面部１２２の外面１２２ｂを露出させるための開口が設けられている。
【００８１】
また、第２の枠１６０及び本体１７０は後方側（天井側）に位置するように配置される。第２の枠１６０及び本体１７０には、基板１４０と電源回路とを接続する電線を通すための開口が設けられている。
【００８２】
［作用効果］
次に、本実施の形態に係る照明装置１の作用効果について、図３を用いて説明する。
【００８３】
図３に示すように、光源１１０から出射した光は入射面１２１ａから配光制御部材１２０の光入射部１２１に入射し、光入射部１２１の側面１２１ｂで反射して平面部１２２に導光される。また、平面部１２２に伝達した光は、平面部１２２内を導光していき、平面部１２２の内面１２２ａに形成されたドットパターンによって反射して、外面１２２ｂの全面から均一な照明光となって出射する。
【００８４】
この際、光入射部１２１の側面１２１ｂには波長選択吸収部材１３０が設けられているので、光入射部１２１の側面１２１ｂで反射する際に、光源１１０からの光は波長選択吸収部材１３０によって特定波長が吸収される。これにより、光源１１０がＢ−Ｙタイプの白色ＬＥＤ光源であっても高い演色性の照明光を得ることができる。これにより、例えば文字の見え方等を向上させることができる。
【００８５】
そして、本実施の形態では、波長選択吸収部材１３０が光入射部１２１における入射面１２１ａ以外の部分に設けられている。具体的には、波長選択吸収部材１３０は光入射部１２１の側面１２１ｂに設けられている。つまり、波長選択吸収部材１３０が光導波路の側部に配置されている。
【００８６】
この構成により、波長選択吸収部材１３０が光源１１０の近傍に配置されているにもかかわらず、光源１１０から出射した光は光入射部１２１に入射した後で波長選択吸収部材１３０に当たることになるので、光源１１０から出射した光が波長選択吸収部材１３０に直接当たることを軽減できる。この結果、単位面積当たりに波長選択吸収部材１３０に照射される光量を少なくすることができるので、波長選択吸収部材１３０の光による退色を起こりにくくすることができる。
【００８７】
特に、光源１１０（ＬＥＤ素子）の光軸が波長選択吸収部材１３０の主面に対して垂直となっていないので、光源１１０からの光が波長選択吸収部材１３０の主面に対して垂直に当たらない。これにより、波長選択吸収部材１３０の退色の発生を、より効果的に抑えることができる。
【００８８】
また、波長選択吸収部材１３０が配光制御部材１２０の外面１２２ｂに設けられていないので、有機系色素を含む波長選択吸収部材１３０を用いた場合であっても、波長選択吸収部材１３０の外観色がユーザに視認されにくくなる。これにより、波長選択吸収部材１３０の有彩色によって外観の見栄えが悪くなることを抑えることができるので、ユーザに違和感を与えることを軽減できる。
【００８９】
また、本実施の形態では、配光制御部材１２０が基板１４０と略平行に配設された平面部１２２を有し、光入射部１２１が平面部１２２から基板１４０に向かって突出するように構成されている。
【００９０】
この構成により、灯具１００の端部までを発光させることが可能となるので、照明装置１の外観の見栄えを一層向上させることができる。
【００９１】
（変形例１）
次に、本発明の変形例１に係る照明装置２について、図８について説明する。図８は、本発明の変形例１に係る照明装置の断面図である。
【００９２】
上記実施の形態における照明装置１は、デスクスタンド型の照明装置であったが、本変形例における照明装置２は、天井に埋込配設されて下方に光を照射する天井埋込型照明装置の一例であるダウンライトである。
【００９３】
図８に示すように、本変形例における照明装置２は、光源１１０と、光入射部１２１を有する配光制御部材１２０と、波長選択吸収部材１３０と、光源１１０を配置するための基台１８０と、拡散カバー１９０とを備える。なお、本変形例においても、電源回路（不図示）が設けられている。
【００９４】
光源１１０、配光制御部材１２０及び波長選択吸収部材１３０の構成及び機能は、上記実施の形態と同様である。
【００９５】
基台１８０は、光源１１０が取り付けられる取付台である。また、基台１８０は、光源１１０で発生する熱を放熱するヒートシンクとして機能させてもよく、例えば、金属材料を用いて構成することができる。この場合、基台１８０はアルミダイカスト製とすることができる。
【００９６】
拡散カバー１９０は、配光制御部材１２０の平面部１２２の外面１２２ｂから出射する光を拡散させる。例えば、拡散カバー１９０は、カバー材料（樹脂）の一部又は全部に光拡散粒子を分散することで形成することができる。拡散カバー１９０によって、照明装置２の照明光をより均一に発光させることができる。拡散カバー１９０は、例えば、基台１８０に固定される。
【００９７】
このように構成される照明装置２は、基台１８０を天井の開口に嵌め込むことによって天井に埋込配設される。
【００９８】
以上、本変形例に係る照明装置２によれば、上記実施の形態に係る照明装置１と同様の作用効果が得られる。さらに、本変形例では、拡散カバー１９０が設けられているので、より均一な照明光が得られる。
【００９９】
（変形例２）
次に、本発明の変形例２に係る照明装置３について、図９について説明する。図９は、本発明の変形例２に係る照明装置の要部拡大図である。
【０１００】
本変形例における照明装置３は、上記実施の形態における照明装置１と同様に、デスクスタンド型の照明装置であり、図９には、灯具の一部の構成が示されている。
【０１０１】
図９に示すように、本変形例における照明装置３の灯具は、光源１１０Ａと、配光制御部材１２０Ａと、波長選択吸収部材１３０Ａとを備える。なお、図示しないが、照明装置３の灯具には、上記実施の形態１と同様に、基板１４０と、第１の枠１５０と、第２の枠１６０と、本体１７０とを備える。
【０１０２】
本変形例においても、上記実施の形態と同様に、配光制御部材１２０Ａは、透光性樹脂材料からなる樹脂成型品である導光板であり、光源１１０の光が直接入射される光入射部１２１Ａと、基板１４０と略平行に配設された板状の平面部１２２Ａとを有する。
【０１０３】
光入射部１２１Ａは、光源１１０の光が入射する入射面１２１ａを有する。入射面１２１ａから入射した光源１１０の光は、光入射部１２１Ａの内部を通過して平面部１２２Ａに導光される。
【０１０４】
本変形例が上記実施の形態と異なる点は、光入射部１２１Ａが平面部１２２Ａの側方に向かって突出するようにして平面部１２２Ａの側面に接続されている。
【０１０５】
また、本変形例において、光源１１０は、当該光源１１０の光軸が基板１４０の主面と略平行となるように基板１４０に配置されているので、光入射部１２１Ａが平面部１２２Ａの側部に設けられていても、光入射部１２１Ａは、入射面１２１ａが光源１１０と対向するように配置される。つまり、本変形例でも、光源１１０の光軸は入射面１２１ａに対して垂直となっている。
【０１０６】
また、光入射部１２１Ａの側面１２１ｂは、傾斜面となっており、入射面１２１ａから入射した光の多くを反射させる反射面となっている。また、光入射部１２１Ａは、断面視において入射面１２１ａから平面部１２２に向かって幅が漸次小さくなるように構成されている。
【０１０７】
このように構成される配光制御部材１２０Ａでは、入射面１２１ａから光入射部１２１Ａに入射した光源１１０の光は、光入射部１２１Ａの側面１２１ｂ（内面）で反射しながら平面部１２２Ａへと導光し、平面部１２２Ａを導光しながら外面１２２ｂから照明光として出射する。この際、光入射部１２１Ａの側面１２１ｂには波長選択吸収部材１３０Ａが設けられているので、光入射部１２１Ａの側面１２１ｂで反射する際に、光源１１０からの光は波長選択吸収部材１３０Ａによって特定波長が吸収される。
【０１０８】
なお、本変形例においても、光入射部１２１Ａを光入射部材として構成し、光入射部１２１Ａと配光制御部材１２０Ａとを別体としてもよい。
【０１０９】
以上、本変形例に係る照明装置３によれば、上記実施の形態に係る照明装置１と同様の作用効果が得られる。
【０１１０】
（その他変形例等）
以上、本発明に係る照明装置について、実施の形態及び変形例に基づいて説明したが、本発明は、上記実施の形態に限定されるものではない。
【０１１１】
例えば、上記実施の形態及び変形例では、照明装置の一例として、デスクスタンドライト及びダウンライトについて説明したが、これに限定されるものではなく、本発明の目的を損なわない範囲で、スポットライトやシーリングライト等の他の照明装置にも同様に適用することができる。
【０１１２】
なお、その他、各実施の形態及び変形例に対して当業者が思いつく各種変形を施して得られる形態や、本発明の趣旨を逸脱しない範囲で実施の形態における構成要素及び機能を任意に組み合わせることで実現される形態も本発明に含まれる。
【符号の説明】
【０１１３】
１、２、３  照明装置
１００  灯具
１１０、１１０Ａ  光源
１２０、１２０Ａ  配光制御部材
１２１、１２１Ａ  光入射部
１２１ａ  入射面
１２１ｂ  側面
１２２、１２２Ａ  平面部
１２２ａ  内面
１２２ｂ  外面
１３０、１３０Ａ、１３００  波長選択吸収部材
１４０  基板
１５０  第１の枠
１６０  第２の枠
１７０  本体
１８０  基台
１９０  拡散カバー
２００  ベース
３００  本体部
４００  アーム
１１００  ＬＥＤ光源
１２００  導光板
【図１】
2015018677.tif 000003
【図２】
2015018677.tif 000004
【図３】
2015018677.tif 000005
【図４】
2015018677.tif 000006
【図５】
2015018677.tif 000007
【図６】
2015018677.tif 000008
【図７】
2015018677.tif 000009
【図８】
2015018677.tif 000010
【図９】
2015018677.tif 000011
【図１０】
2015018677.tif 000012
【図１１】
2015018677.tif 000013
【図１２】
2015018677.tif 000014
【図１３】
2015018677.tif 000015
【図１４】
2015018677.tif 000016